(57)【要約】　　　（修正有）【課題】生体に適合性があり、簡便に強力に胸骨を縫合することが可能であり、磁気共鳴診断装置による撮影においてもハレーションが発生しない胸骨縫合用バンド締め上げ器を提供する。【解決手段】樹脂製の帯状バンドに胸骨を貫通させるための針を付け、帯片面は戻り止めの連続した複数の突起が形成されている。他端のボックスの中に針を通し、胸骨を徐々に締め上げ固定する胸骨縫合用バンドを提供する。バンド本体が加水分解又は酵素分解のメカニズムによって体内で吸収される材質を使用した胸骨縫合バンドとする。先端の挿入ガイドから胸骨縫合用バンドを挿入し、スライドグリップを引くとホールドギアが胸骨縫合用バンドの端部を把持し、手前に引き寄せて胸骨を締め上げ、テンションが胸骨縫合用バンドの引張強度を超えると自然に胸骨縫合用バンドが切れる構造とする。【選択図】なし【特許請求の範囲】
【請求項１】
心臓外科手術の際に用いる胸骨縫合用材料であり、樹脂製のバンド部分の片端には胸骨を貫通させるための針が付いており、バンド中央部分は帯状であり、帯片面は戻り止めの連続した複数の突起が形成されている。他端はボックス状に成型されており、胸骨を貫通させた針をボックスの中に通し、ボックス内上部下面は戻り止め突起を受け止める形状が形成されており、胸骨を徐々に締め上げ固定する胸骨縫合用バンド。
【請求項２】
上記胸骨縫合用バンドの内、片端に接続された針の先が鈍であり、胸骨を直接貫通させるのではなく、肋間に沿って内胸動脈等の血管を傷付けることなく縫合が可能な請求項１記載の胸骨縫合バンド。
【請求項３】
上記胸骨縫合用バンドの内、バンド本体が加水分解又は酵素分解のメカニズムによって体内で吸収される材質を使用することを特徴とした請求項１及び２記載の胸骨縫合バンド。
【請求項４】
請求項１、２及び３記載の胸骨縫合用バンドを締め上げる際に用いる締め上げ器であり、先端の挿入ガイドから胸骨縫合用バンドを挿入し、挿入ガイド前面はボックス部分と密着し、スライドグリップを引くとホールドギアが胸骨縫合用バンドの端部を把持し、手前に引き寄せて胸骨を締め上げ、テンションが胸骨縫合用バンドの引張強度を超えると自然に胸骨縫合用バンドが切れる構造を特徴とする胸骨縫合用バンド締め上げ器。
【発明の詳細な説明】
【０００１】
【発明が属する技術分野】
本発明は、心臓外科手術の際に使用する胸骨縫合用材料に関するものである。
【０００２】
【従来の技術】
胸骨を縫合する場合、針付きワイヤー、或いはキリを用いて胸骨を貫通させ、単線ワイヤーを捩り上げることにより締結する方法が一般的である。
【０００３】
【発明が解決しようとする課題】
この場合、捩りすぎると切れてしまい、弱いと胸骨固定が困難である。胸骨締結は心臓手術の最後の大仕事であり、その締結には大変な力が必要である。又、体内に金属としての異物を残存することになる。磁気共鳴診断装置（ＭＲ）による画像撮影においてはハレーションを起こしてしまう。
【０００４】
【課題を解決するための手段】
樹脂製のバンド部分の片端に胸骨を貫通させるための針を付け、バンド中央部分は帯状であり、帯片面は戻り止めの連続した複数の突起が形成されている。他端はボックス状に成型されており、胸骨を貫通させた針をボックスの中に通し、ボックス内上部下面は戻り止め突起を受け止める形状が形成されており、胸骨を徐々に締め上げ固定する胸骨縫合用バンド。
【０００５】
片端に接続された針の先が鈍であり、胸骨を直接貫通させるのではなく、肋間に沿って内胸動脈等の血管を傷付けることなく縫合が可能な胸骨縫合バンドとする。
【０００６】
バンド本体が加水分解又は酵素分解のメカニズムによって体内で吸収される材質を使用した胸骨縫合バンドとする。
【０００７】
胸骨縫合用バンドを締め上げる際に用いる締め上げ器であり、先端の挿入ガイドから胸骨縫合用バンドを挿入し、挿入ガイド前面はボックス部分と密着し、スライドグリップを引くとホールドギアが胸骨縫合用バンドの端部を把持し、手前に引き寄せて胸骨を締め上げ、テンションが胸骨縫合用バンドの引張強度を超えると自然に胸骨縫合用バンドが切れる構造を特徴とする胸骨縫合用バンド締め上げ器を提供する。
【０００８】
【発明の実施の形態】
図１は、請求項１、２及び３に係る本発明の１実施例であって、バンド部分の片端には胸骨を貫通させるための鈍針２が付いており、バンド中央部分１は帯状であり、帯片面は戻り止めの連続した複数の突起が形成されている。他端はボックス状３に成型されており、胸骨を貫通させた針をボックス３の中に通し、ボックス内上部下面は戻り止め突起を受け止める形状が形成されており、胸骨を徐々に締め上げ固定する構造となっている。針はステンレス製、バンド本体及び一体成型されたボックス部分はポリエチレン、ポリプロピレン等の生体適合材料が好ましい。またポリグリコール酸、ポリ乳酸、ポリジオクサノン等の体内吸収性素材を用いることも有効である。
図２は請求項４に係る胸骨縫合用バンドを締め上げる際に用いる締め上げ器を例示している。先端の挿入ガイド５から胸骨縫合用バンドを挿入し、挿入ガイド前面はボックス部分３と密着し、スライドグリップ１０を引くとホールドギア６が胸骨縫合用バンドの端部を把持し、手前に引き寄せて胸骨を締め上げ、テンションが胸骨縫合用バンドの引張強度を超えると自然に胸骨縫合用バンドが切れる構造となっている。
【０００９】
【発明の効果】
以上説明したように本発明は実施され、生体に適合性があり、簡便に強力に胸骨を縫合することが可能であり、樹脂製なので、磁気共鳴診断装置による撮影においてもハレーションが発生しない。
【図面の簡単な説明】
【図１】胸骨縫合用バンドの実施方法を示した説明図である。
【図２】胸骨縫合用バンド用締め上げ器の実施方法を示した説明図である。
【符号の説明】
１　　バンド中央部
２　　針
３　　ボックス
４ａ、４ｂ　胸骨
５　　挿入ガイド
６　　ホールドギア
７　　ホールドギア用バネ
８　　引き込みシャフト
９　　スライドグリップ用バネ
１０　スライドグリップ
１１　固定グリップ
【図１】
2004113392.tif 000002
【図２】
2004113392.tif 000003
【手続補正書】
【提出日】平成15年3月13日(2003.3.13)
【手続補正１】
【補正対象書類名】明細書
【補正対象項目名】発明の詳細な説明
【補正方法】変更
【補正の内容】
【発明の詳細な説明】
【０００１】
【発明が属する技術分野】
本発明は、心臓外科手術の際に使用する胸骨縫合用材料に関するものである。
【０００２】
【従来の技術】
胸骨を縫合する場合、針付きワイヤー、或いはキリを用いて胸骨を貫通させ、単線ワイヤーを捩り上げることにより締結する方法が一般的である（例えば、特許文献１、２、３及び４参照）。
当社は類似の胸骨縫合用材料を提案している（未公開特許出願１参照）。
【０００３】
【特許文献１】
特開２００２−０７８７１２号公報
【特許文献２】
特開２００２−２２４１２２号公報
【特許文献３】
特開２００１−１９８１３１号公報
【特許文献４】
実開昭６２−３０８１０号公報
【未公開特許出願１】
特願２００２−０３６４８０
【０００４】
【発明が解決しようとする課題】
この場合、捩りすぎると切れてしまい、弱いと胸骨固定が困難である。胸骨締結は心臓手術の最後の大仕事であり、その締結には大変な力が必要である。又、体内に金属としての異物を残存することになる。磁気共鳴診断装置（ＭＲ）による画像撮影においてはハレーションを起こしてしまう。
【０００５】
【課題を解決するための手段】
樹脂製のバンド部分の片端に胸骨を貫通させるための針を付け、バンド中央部分は帯状であり、帯片面は戻り止めの連続した複数の突起が形成されている。他端はボックス状に成型されており、胸骨を貫通させた針をボックスの中に通し、ボックス内上部下面は戻り止め突起を受け止める形状が形成されており、胸骨を徐々に締め上げ固定する胸骨縫合用バンド。
【０００６】
片端に接続された針の先が鈍であり、胸骨を直接貫通させるのではなく、肋間に沿って内胸動脈等の血管を傷付けることなく縫合が可能な胸骨縫合バンドとする。
【０００７】
バンド本体が加水分解又は酵素分解のメカニズムによって体内で吸収される材質を使用した胸骨縫合バンドとする。
【０００８】
胸骨縫合用バンドを締め上げる際に用いる締め上げ器であり、先端の挿入ガイドから胸骨縫合用バンドを挿入し、挿入ガイド前面はボックス部分と密着し、スライドグリップを引くとホールドギアが胸骨縫合用バンドの端部を把持し、手前に引き寄せて胸骨を締め上げ、テンションが胸骨縫合用バンドの引張強度を超えると自然に胸骨縫合用バンドが切れる構造を特徴とする胸骨縫合用バンド締め上げ器を提供する。
【０００９】
【発明の実施の形態】
図１は、請求項１、２及び３に係る本発明の１実施例であって、バンド部分の片端には胸骨を貫通させるための鈍針２が付いており、バンド中央部分１は帯状であり、帯片面は戻り止めの連続した複数の突起が形成されている。他端はボックス状３に成型されており、胸骨を貫通させた針をボックス３の中に通し、ボックス内上部下面は戻り止め突起を受け止める形状が形成されており、胸骨を徐々に締め上げ固定する構造となっている。針はステンレス製、バンド本体及び一体成型されたボックス部分はポリエチレン、ポリプロピレン等の生体適合材料が好ましい。またポリグリコール酸、ポリ乳酸、ポリジオクサノン等の体内吸収性素材を用いることも有効である。
【００１０】
図２は請求項４に係る胸骨縫合用バンドを締め上げる際に用いる締め上げ器を例示している。先端の挿入ガイド５から胸骨縫合用バンドを挿入し、挿入ガイド前面はボックス部分３と密着し、スライドグリップ１０を引くとホールドギア６が胸骨縫合用バンドの端部を把持し、手前に引き寄せて胸骨を締め上げ、テンションが胸骨縫合用バンドの引張強度を超えると自然に胸骨縫合用バンドが切れる構造となっている。
【００１１】
【発明の効果】
以上説明したように本発明は実施され、生体に適合性があり、簡便に強力に胸骨を縫合することが可能であり、樹脂製なので、磁気共鳴診断装置による撮影においてもハレーションが発生しない。




【手続補正書】
【提出日】平成15年8月25日(2003.8.25)
【手続補正１】
【補正対象書類名】図面
【補正対象項目名】全図
【補正方法】変更
【補正の内容】
【図１】
2004113392.tif 000004
【図２】
2004113392.tif 000005